(57)【要約】【課題】反射防止フィルムの防眩性を迅速かつ高精度で定量評価することができる防眩性評価装置、防眩性評価基準設定方法および防眩性評価方法を提供する。【解決手段】光源幅α°を変更可能の均一拡散光源１０と、表示面サンプル２８での一定角反射光を生成する測定用光学系１２と、鏡面反射輝度係数ＳＲ（α°）を検出する検出手段１４と、表示面サンプル２８に対して少なくとも２つの光源幅α°により生成される鏡面反射輝度係数ＳＲ（α°）から輝度変化比率Ａを算出する変化比率演算手段１６と、輝度変化比率Ａに対する防眩性規定値ＡＧを特定する防眩性演算手段１８とを備え、均一拡散光源１０の少なくとも２つの光源幅α°により生成される評価対象表示面サンプル２８での鏡面反射輝度係数ＳＲ（α°）から輝度変化比率Ａを算出し、該輝度変化比率Ａに基づいて防眩性評価値ＡＧＶを特定する。【選択図】図１
2008058081.tif 000002
【特許請求の範囲】
【請求項１】
画像表示手段の防眩性評価装置において、
光源幅を変更可能の均一拡散光源と、
前記画像表示手段の表示面サンプルでの前記均一拡散光源からの予め設定した一定角反射光を生成する測定用光学系と、
前記光学系での反射光輝度を検出する検出手段と、
前記表示面サンプルに対して前記均一拡散光源の少なくとも２つの光源幅により生成される反射光輝度から輝度変化比率を算出する変化比率演算手段と、
予め設定された防眩性規定値を持つ複数基準表示面サンプルでの該防眩性規定値と変化比率との関係式に基づいて前記変化比率演算手段で演算された前記表示面サンプルでの輝度変化比率に対する防眩性規定値を特定する防眩性演算手段と、
を備える防眩性評価装置。
【請求項２】
前記均一拡散光源が光源直径を変更する絞りを有する光源サイズ変更手段を備える請求項１に記載の防眩性評価装置。
【請求項３】
前記測定用光学系が前記表示面サンプルの交換駆動手段を有し、前記防眩性演算手段による防眩性規定値を特定終了時に次の表示面サンプルへ交換を実施する請求項１又は２に記載の防眩性評価装置。
【請求項４】
画像表示手段の防眩性評価基準設定方法であって、
前記画像表示手段の表示面での均一拡散光源からの予め設定した一定角反射光を生成する測定用光学系により、予め設定された防眩性規定値を持つ複数の基準表示面サンプルでの反射光を生成し、
前記均一拡散光源の少なくとも２つの光源幅により生成される前記基準表示面サンプルでの反射光輝度から変化比率演算手段により輝度変化比率を算出し、
前記基準表示面サンプルそれぞれで設定された防眩性規定値と変化比率の測定値との関係式を評価用関係式とする防眩性評価基準設定方法。
【請求項５】
請求項４記載の防眩性評価基準設定方法を利用する画像表示手段の防眩性評価方法であって、
前記測定用光学系により、評価対象表示面サンプルでの反射光を生成し、
前記均一拡散光源の少なくとも２つの光源幅により生成される前記評価対象表示面サンプルでの反射光輝度から変化比率演算手段により輝度変化比率を算出し、
算出した輝度変化比率を前記評価用関係式に入れて防眩性評価値を特定する防眩性評価方法。
【発明の詳細な説明】
【技術分野】
【０００１】
本発明は、反射防止フィルムの防眩性を評価する防眩性評価装置、防眩性評価基準設定方法および防眩性評価方法に関し、より詳細には、フラットパネルディスプレイに用いられる反射防止フィルムの防眩性を定量評価する防眩性評価装置、防眩性評価基準設定方法および防眩性評価方法に関する。
【背景技術】
【０００２】
近年、フラットパネルディスプレイの反射防止を目的に、複数の層を積層塗布して得られる積層塗布フィルムがフラットパネルディスプレイの表面に用いられている。中でも従来のＣＲＴテレビに代わって急速に置換されつつある大型の液晶ディスプレイの表面には、反射防止フィルムが必ずと言って良いほど採用されている。大型の液晶ディスプレイテレビの普及には目覚しいものがあり、今後ますます置き替わりが進むものと考えられ、それに伴ってトリアセチルセルロースを支持体とするものや、それ以外にも様々なディスプレイ用反射防止フィルムが開発されている。
【０００３】
こうした反射防止フィルムは、防眩性を持たせるために表面に微細な凹凸をつけたフィルムが用いられるのが一般的である。ところが、このような反射防止フィルムの防眩性を評価する場合、定量評価することが難しく、もっぱら官能評価に頼っていた。このため評価値には個人差が大きく、また同一人物が評価する場合においても評価環境により差異が生じ、迅速かつ高精度で定量評価することができなかった。
これらの問題を解決する方法として、例えば特許文献１に記載の方法が提案されている。
【０００４】
【特許文献１】特開２００４−３３３２９１号公報
【発明の開示】
【発明が解決しようとする課題】
【０００５】
特許文献１に記載の反射防止材の映り込み特性評価方法及び装置は、反射防止フィルムにスリット光を映り込ませてＣＣＤカメラで撮像し、撮像データに基づく輝度分布から防眩性を定量化するものであり、複雑な撮像系と膨大なデータ処理が必要であり、改善の余地があった。
【０００６】
本発明は、上記事情に鑑みてなされたもので、その目的は、反射防止フィルムの防眩性を迅速かつ高精度で定量評価することができる防眩性評価装置、防眩性評価基準設定方法および防眩性評価方法を提供することにある。
【課題を解決するための手段】
【０００７】
本発明の上記目的は、下記防眩性評価装置、防眩性評価基準設定方法および防眩性評価方法によって達成される。
（１）  画像表示手段の防眩性評価装置において、
光源幅を変更可能の均一拡散光源と、
前記画像表示手段の表示面サンプルでの前記均一拡散光源からの予め設定した一定角反射光を生成する測定用光学系と、
前記光学系での反射光輝度を検出する検出手段と、
前記表示面サンプルに対して前記均一拡散光源の少なくとも２つの光源幅により生成される反射光輝度から輝度変化比率を算出する変化比率演算手段と、
予め設定された防眩性規定値を持つ複数基準表示面サンプルでの該防眩性規定値と変化比率との関係式に基づいて前記変化比率演算手段で演算された前記表示面サンプルでの輝度変化比率に対する防眩性規定値を特定する防眩性演算手段と、
を備える防眩性評価装置。
【０００８】
上記構成の防眩性評価装置によれば、光源幅を変更可能の均一拡散光源と、表示面サンプルでの一定角反射光を生成する測定用光学系と、反射光輝度を検出する検出手段と、表示面サンプルに対して少なくとも２つの光源幅により生成される反射光輝度から輝度変化比率を算出する変化比率演算手段と、輝度変化比率に対する防眩性規定値を特定する防眩性演算手段とを備え、均一拡散光源の少なくとも２つの光源幅により生成される評価対象表示面サンプルでの反射光輝度から輝度変化比率を算出し、該輝度変化比率に基づいて防眩性規定値を特定するようにしたので、反射防止フィルムの防眩性評価を評価者の個人差や評価環境の影響などを排除し、迅速かつ高精度で定量評価することができる。
【０００９】
（２）  前記均一拡散光源が光源直径を変更する絞りを有する光源サイズ変更手段を備える上記（１）に記載の防眩性評価装置。
【００１０】
上記構成の防眩性評価装置によれば、均一拡散光源が光源直径を変更する絞りを有する光源サイズ変更手段を備えるので、均一拡散光源の光源幅を容易に変更して複数の光源幅の均一拡散光源によって評価対象表示面サンプルの反射光輝度を測定することができる。
【００１１】
（３）  前記測定用光学系が前記表示面サンプルの交換駆動手段を有し、前記防眩性演算手段による防眩性規定値を特定終了時に次の表示面サンプルへ交換を実施する上記（１）又は（２）に記載の防眩性評価装置。
【００１２】
上記構成の防眩性評価装置によれば、測定用光学系が表示面サンプルの交換駆動手段を有し、表示面サンプルの交換を順次、行うようにしたので、多数の表示面サンプルの防眩性評価を自動的に実施して防眩性評価の作業効率を向上させることができる。
【００１３】
（４）  画像表示手段の防眩性評価基準設定方法であって、
前記画像表示手段の表示面での均一拡散光源からの予め設定した一定角反射光を生成する測定用光学系により、予め設定された防眩性規定値を持つ複数の基準表示面サンプルでの反射光を生成し、
前記均一拡散光源の少なくとも２つの光源幅により生成される前記基準表示面サンプルでの反射光輝度から変化比率演算手段により輝度変化比率を算出し、
前記基準表示面サンプルそれぞれで設定された防眩性規定値と変化比率の測定値との関係式を評価用関係式とする防眩性評価基準設定方法。
【００１４】
上記の防眩性評価基準設定方法によれば、予め設定された防眩性規定値を持つ複数の基準表示面サンプルに対して、均一拡散光源の少なくとも２つの光源幅により生成される反射光輝度から輝度変化比率を算出して、基準表示面サンプルの防眩性規定値と算出された輝度変化比率との関係式を評価用関係式としたので、防眩性規定値と輝度変化比率との相関関係を高精度で関連付けることができる。これにより、輝度変化比率を測定することにより防眩性規定値を精度よく求めることができる。
【００１５】
（５）  上記（４）記載の防眩性評価基準設定方法を利用する画像表示手段の防眩性評価方法であって、
前記測定用光学系により、評価対象表示面サンプルでの反射光を生成し、
前記均一拡散光源の少なくとも２つの光源幅により生成される前記評価対象表示面サンプルでの反射光輝度から変化比率演算手段により輝度変化比率を算出し、
算出した輝度変化比率を前記評価用関係式に入れて防眩性評価値を特定する防眩性評価方法。
【００１６】
上記の防眩性評価方法によれば、均一拡散光源の少なくとも２つの光源幅により生成される評価対象表示面サンプルでの反射光輝度から輝度変化比率を算出し、該輝度変化比率に基づいて評価用関係式から防眩性評価値を特定するようにしたので、評価対象表示面サンプルの輝度変化比率を測定することにより防眩性評価値を高精度で求めることができる。
【発明の効果】
【００１７】
本発明によれば、反射防止フィルムの防眩性を迅速かつ高精度で定量評価することができる防眩性評価装置、防眩性評価基準設定方法および防眩性評価方法を提供できる。
【発明を実施するための最良の形態】
【００１８】
以下、本発明に係る防眩性評価方法を実施するのに好適な防眩性評価装置の実施形態を図面に基づいて詳細に説明する。本発明人は、光源幅の異なる２つの均一拡散光源により生成される表示面サンプルでの反射光輝度の輝度変化比率と、従来の官能評価方法による防眩性評価値との間に高い相関があることに着目して、反射防止フィルムの防眩性を迅速かつ高精度で定量評価することができる防眩性評価装置を発明するに至った。
【００１９】
図１は本発明の実施形態である防眩性評価装置の構成図である。図１に示すように、防眩性評価装置１００は、均一拡散光源１０と、測定用光学系１２と、検出手段１４と、変化比率演算手段１６と、防眩性演算手段１８とを備えている。なお、均一拡散光源１０及び測定用光学系１２については、ＩＳＯ／ＦＤＩＳ９２４１−７（１９９７）に準拠した構成が利用可能である。以下に、本発明の実施形態の構成を説明する。
【００２０】
均一拡散光源１０は、画像表示手段２６の表示面サンプルである反射防止フィルム２８に光を照射するための光源であり、反射防止フィルム２８の法線ＶＬに対して１５°傾けられて画像表示手段２６の反射防止フィルム２８から５０ｃｍ離間した位置に配置されている。
【００２１】
均一拡散光源１０は、ＩＳＯ／ＦＤＩＳ９２４１−７に準拠したディスプレイの反射特性測定用の均一拡散光源である。具体的には、外面が黒、内面が白の拡散ペイントが塗られた一辺３０ｃｍの立方体であり、内部には１５Ｗのインバーター付きコンパクト蛍光ランプが４灯取り付けられている。この均一拡散光源１０の輝度は略６０００ｃｄ／ｍ２であり、中心部と周辺部の輝度差は５％以下で均一となっている。
【００２２】
均一拡散光源１０は、光源サイズ変更手段２０を備える。光源サイズ変更手段２０は、異なる大きさの投光孔（絞り）２２が形成された複数のアパーチャーパネル２４、２４の中から、所定の大きさの投光孔２２を有するアパーチャーパネル２４を選択して均一拡散光源１０の前面に装着して、均一拡散光源１０の光源直径、即ち、光源幅を変更する。
【００２３】
アパーチャーパネル２４に形成された投光孔２２は、光学系の絞りとして作用する。即ち、光源サイズ変更手段２０がアパーチャーパネル２４を交換することによって均一拡散光源１０の光源幅が変更される。
【００２４】
均一拡散光源１０の光源幅（光源直径）は、画像表示手段２６から見た投光孔２２（換言すれば、光源）の円錐角α°Φで表される。本実施形態においては、円錐角α°Φが１°Φおよび３°Φとなるように設定された投光孔２２ａ、２２ｂが形成された２つのアパーチャーパネル２４ａ、２４ｂが用いられる。
【００２５】
測定用光学系１２は、表示面サンプルである反射防止フィルム２８の交換駆動手段３０を有すると共に、画像表示手段２６の表示面（反射防止フィルム）２８での均一拡散光源１０からの反射光を生成する。交換駆動手段３０は、測定位置にある反射防止フィルム２８を自動的に交換して検出手段１４による反射光輝度の測定に供する。
【００２６】
検出手段１４は、反射防止フィルム２８における均一拡散光源１０の反射光輝度を検出する輝度計であり、画像表示手段２６の法線ＶＬに対して均一拡散光源１０とは逆方向に１５°傾けられ、画像表示手段２６の反射防止フィルム２８から５０ｃｍ離間した均一拡散光源１０と対照の位置に配置されている。検出手段１４の焦点は、反射防止フィルム２８の均一拡散光源１０の反射映像に合わされている。検出手段１４の測定角は、例えば、０．２°であり、反射防止フィルム２８における均一拡散光源１０の反射光のピーク輝度を測定する。
【００２７】
尚、反射光輝度は、均一拡散光源１０の光源幅（円錐角α°Φ）によって異なるので、円錐角α°Φの均一拡散光源１０の反射光輝度を、これ以降、鏡面反射輝度係数ＳＲ（α°）により表示する。本実施形態では、円錐角１°Φおよび３°Φの均一拡散光源１０を用いるので、反射光輝度は、それぞれ鏡面反射輝度係数ＳＲ（１°）、ＳＲ（３°）と表される。
【００２８】
変化比率演算手段１６では、円錐角α°Φ、およびβ°Φの２つの均一拡散光源１０の光が反射防止フィルム２８で反射された光に対し検出手段１４で検出・生成された２つの鏡面反射輝度係数ＳＲ（α°）、ＳＲ（β°）から鏡面反射輝度係数変化比率Ａ（輝度変化比率と同等であり、以降は輝度変化比率Ａとする）を算出しており、中央演算処理装置、記憶装置などを備えるコンピュータ装置である。ＳＲ（α°）はＳＲ（α°）＝{Lr(α°)-E(α°)・qoff}/Lo(α°)で表され、Lr(α°)は光源の反射のピーク輝度、E(α°)はディスプレイの画面法線照度、Lo(α°)は光源の輝度、qoffはディスプレイOFF状態における拡散反射輝度係数である（窪田  悟著 「液晶ディスプレイの生態学」（財）労働科学研究所出版部 第2部参照）。変化比率演算手段１６は、下記の式（１）で定義される演算式に基づいて、光源幅の異なる２つの均一拡散光源１０により反射防止フィルム２８で生成される鏡面反射輝度係数ＳＲ（α°）およびＳＲ（β°）から輝度変化比率Ａを算出する。
A={SR(α°)-SR(β°)}/[{SR(α°)+SR(β°)}/2]  ・・・・（１）
【００２９】
防眩性演算手段１８は、変化比率演算手段１６によって求められた輝度変化比率Ａから、該輝度変化比率Ａに対応する防眩性規定値ＡＧを特定する演算装置であり、中央演算処理装置、記憶装置などを備えるコンピュータ装置である。輝度変化比率Ａと防眩性規定値ＡＧとの対応は、予め設定された防眩性規定値ＡＧを持つ基準表示面サンプル２８Ａの鏡面反射輝度係数ＳＲ（α°）およびＳＲ（β°）を測定して求められる輝度変化比率Ａと、防眩性規定値ＡＧとの相関関係式により定義される。
【００３０】
具体的には、防眩性規定値ＡＧが−７から＋３までの１１種類の基準表示面サンプル２８Ａを準備し、円錐角１°Φ、および３°Φの２つの均一拡散光源１０により基準表示面サンプル２８Ａで生成される反射光の輝度を検出手段１４で検出して鏡面反射輝度係数ＳＲ（１°）、ＳＲ（３°）を測定する。そして、式（１）に示す演算式に基づいて輝度変化比率Ａを演算により求め、予め知られている防眩性規定値ＡＧ（−７から＋３まで）と対比する。
【００３１】
図２は、上記の手順により求められた防眩性規定値ＡＧ、鏡面反射輝度係数ＳＲ（１°）、鏡面反射輝度係数ＳＲ（３°）、および輝度変化比率Ａの関係を示す表であり、図３は表２に示す防眩性規定値ＡＧと輝度変化比率Ａとの関係をグラフ化した図である。このグラフから逆算して防眩性規定値ＡＧと輝度変化比率Ａとの相関関係式を求めると、式(２)のようになる。
【００３２】
ＡＧ＝2.6507Ａ２＋1.5067Ａ−6.7154    ・・・（２）
但し、Ｒ２＝0.9912  （Ｒは相関係数を表す。）
【００３３】
防眩性演算手段１８の記憶装置には、式（２)に基づいて輝度変化比率Ａから防眩性規定値ＡＧを求めるアルゴリズムが記憶されていて、変化比率演算手段１６によって求められた輝度変化比率Ａから、これに対応する防眩性規定値ＡＧを演算により求める。
【００３４】
尚、上記の実施形態においては、円錐角１°Φ、および３°Φの均一拡散光源１０を用いて鏡面反射輝度係数ＳＲ（１°）、ＳＲ（３°）を測定したが、円錐角は１°Φ、３°Φに限定されるものではなく、任意の円錐角α°の均一拡散光源１０を用いてもよい。均一拡散光源１０の円錐角（光源幅）α°を１°Φ、３°Φとしたのは、円錐角α°が小さな領域において測定される２つの鏡面反射輝度係数ＳＲ（α°）の差が、円錐角α°が大きい領域で測定される２つの鏡面反射輝度係数ＳＲ（α°）の差より大きい傾向があり、従って、測定精度を高められるからである。
【実施例】
【００３５】
上記の防眩性評価装置１００を用いて評価対象表示面サンプル（反射防止フィルム２８）の防眩性評価値ＡＧを求める実施例について説明する。
【００３６】
先ず、厚み１ｍｍ、大きさ７６×５２ｍｍのガラス板を２６枚用意し、裏表に偏光板をクロスニコル形態に貼りあわせたものを作成する。そして、様々の防眩性を有する２６種類の評価対象反射防止フィルム２８を用意してガラス板加工偏光板の片面に貼り付けて評価対象表示面サンプルを準備する。
【００３７】
図１に示すように、光源サイズ変更手段２０により、円錐角１°となる投光孔２２ａが形成されたアパーチャーパネル２４ａを均一拡散光源１０の前面に装着して、円錐角１°の均一拡散光源１０を得る。また同時に、交換駆動手段３０を作動させて、１枚目の評価対象表示面サンプル（評価対象反射防止フィルム２８）を測定位置に配置する。
【００３８】
反射防止フィルム２８における円錐角１°の均一拡散光源１０の鏡面反射輝度係数ＳＲ（１°）を検出手段１４により測定する。尚、検出手段１４としては、株式会社トプコン製のＢＭ−５Ａを用い、測定視野０．２°で測定した。
【００３９】
次いで、光源サイズ変更手段２０により、円錐角３°となる投光孔２２ｂが形成されたアパーチャーパネル２４ｂを均一拡散光源１０の前面に装着して、反射防止フィルム２８における円錐角３°の均一拡散光源１０の鏡面反射輝度係数ＳＲ（３°）を検出手段１４により測定する。
【００４０】
変化比率演算手段１６は、このようにした得られた２つの鏡面反射輝度係数ＳＲ（１°）、ＳＲ（３°）から、式（１）に従って輝度変化比率Ａを算出する。そして防眩性演算手段１８は、変化比率演算手段１６によって求められた輝度変化比率Ａから、該輝度変化比率Ａに対応する防眩性規定値ＡＧを特定して、１枚目の評価対象反射防止フィルム２８の防眩性評価値ＡＧＶを求める。
【００４１】
次いで、交換駆動手段３０を再び作動させて、２枚目の評価対象表示面サンプル（評価対象反射防止フィルム２８）を測定位置に配置すると共に、光源サイズ変更手段２０によりアパーチャーパネル２４を交換して円錐角１°の均一拡散光源１０に変更し、１枚目の評価対象反射防止フィルム２８と同様に２つの鏡面反射輝度係数ＳＲ（１°）、ＳＲ（３°）を測定する。そして、変化比率演算手段１６および防眩性演算手段１８により、２枚目の評価対象反射防止フィルム２８の輝度変化比率Ａおよび該輝度変化比率Ａに対応する防眩性評価値ＡＧＶを求める。
【００４２】
以後、同様にして２６種類の評価対象反射防止フィルム２８の輝度変化比率Ａと、防眩性評価値ＡＧＶを求めた。
【００４３】
一方、２６種類の同一の評価対象反射防止フィルム２８に対して、従来の官能評価方法に従って官能評価値を求めた。官能評価は、約２ｍ離れたむき出しの天井蛍光灯管（見込み角略1°）を評価対象反射防止フィルム２８の面にほぼ垂直の角度で映り込ませ、目視にて蛍光灯管の映りこみ像のボケ方の程度で−7（くっきり映り込む）〜＋３（輪郭が全くわからない）の等級付けを行った。尚、官能評価は、評価者の個人差を考慮して複数の評価者により評価した。
【００４４】
防眩性評価装置１００によって得られた鏡面反射輝度係数ＳＲ（１°）、ＳＲ（３°）、輝度変化比率Ａ、防眩性評価値ＡＧＶと、従来の官能評価方法によって得られた官能評価値（評価値の幅で示す）とを纏めて図４に示す。
【００４５】
図４に示すように、防眩性評価装置１００による防眩性評価値ＡＧＶと、従来の官能評価方法による官能評価値とは極めてよく一致しており、防眩性評価装置１００による評価方法が有効であることが実証された。
【００４６】
本実施形態の防眩性評価装置１００によれば、光源幅を変更可能の均一拡散光源１０と、表示面サンプル２８での一定角反射光を生成する測定用光学系１２と、鏡面反射輝度係数ＳＲ（α°）を検出する検出手段１４と、表示面サンプル２８に対して少なくとも２つの光源幅により生成される鏡面反射輝度係数ＳＲ（α°）から輝度変化比率Ａを算出する変化比率演算手段１６と、輝度変化比率Ａに対する防眩性規定値ＡＧを特定する防眩性演算手段１８とを備え、均一拡散光源１０の少なくとも２つの光源幅により生成される評価対象表示面サンプル２８での鏡面反射輝度係数ＳＲ（α°）から輝度変化比率Ａを算出し、該輝度変化比率Ａに基づいて防眩性評価値ＡＧＶを特定するようにしたので、反射防止フィルム２８の防眩性評価を評価者の個人差や評価環境の影響などを排除し、迅速かつ高精度で定量評価することができる。
【００４７】
また、本発明に係る防眩性評価基準設定方法によれば、予め設定された防眩性規定値ＡＧを持つ複数の基準表示面サンプル２８Ａに対して、均一拡散光源１０の少なくとも２つの光源幅により生成される鏡面反射輝度係数ＳＲ（α°）から輝度変化比率Ａを算出し、基準表示面サンプル２８Ａの防眩性規定値ＡＧと輝度変化比率Ａとの関係式を評価用関係式としたので、防眩性規定値ＡＧと輝度変化比率Ａとの関係を高精度で関連付けることができ、これにより輝度変化比率Ａから防眩性評価値ＡＧＶを精度よく求めることができる。
【００４８】
また、本発明に係る防眩性評価方法によれば、均一拡散光源１０の少なくとも２つの光源幅により生成される評価対象表示面サンプル２８での鏡面反射輝度係数ＳＲ（α°）から輝度変化比率Ａを算出し、該輝度変化比率Ａに基づいて評価用関係式から防眩性評価値ＡＧＶを特定するようにしたので、評価対象表示面サンプル２８の輝度変化比率Ａを測定することにより防眩性評価値ＡＧＶを定量値として高精度で求めることができる。
【００４９】
尚、本発明は、前述した実施形態及び実施例に限定されるものではなく、適宜、変形、改良、等が可能である。
【図面の簡単な説明】
【００５０】
【図１】本発明の実施形態である防眩性評価装置の構成図である。
【図２】基準表示面サンプルの防眩性規定値ＡＧ、鏡面反射輝度係数ＳＲ（１°）、鏡面反射輝度係数ＳＲ（３°）、および輝度変化比率Ａの関係を示す表である。
【図３】図２における基準表示面サンプルの防眩性規定値ＡＧと輝度変化比率Ａとの関係を示すグラフである。
【図４】評価対象表示面サンプルの鏡面反射輝度係数ＳＲ（１°）、鏡面反射輝度係数ＳＲ（３°）、輝度変化比率Ａ、輝度変化比率Ａから求めた防眩性評価値ＡＧＶと、官能試験による官能評価値の関係を示す表である。
【符号の説明】
【００５１】
１０       均一拡散光源
１２       測定用光学系
１４       検出手段
１６       変化比率演算手段
１８       防眩性演算手段
２０       光源サイズ変更手段
２２       投光孔（絞り）
２６       画像表示手段
２８       反射防止フィルム（表示面サンプル）
２８Ａ     基準表示面サンプル
３０       交換駆動手段
１００     防眩性評価装置
Ａ         鏡面反射輝度係数変化比率（輝度変化率）
ＡＧ       防眩性規定値
ＡＧＶ     防眩性評価値
ＳＲ（α°）  鏡面反射輝度係数
α°       円錐角（光源幅）
Lr(α°)   光源の反射のピーク輝度
E(α°)    ディスプレイの画面法線照度
Lo(α°)   光源の輝度  
qoff       ディスプレイOFF状態における拡散反射輝度係数
【図１】
2008058081.tif 000003
【図２】
2008058081.tif 000004
【図３】
2008058081.tif 000005
【図４】
2008058081.tif 000006